(57)【要約】【課題】本発明は、画像形成済み被記録媒体のカールを抑制して被記録媒体の搬送性、載置性を向上させた画像形成装置、画像形成制御方法、画像形成制御プログラム及び記録媒体に関する。【解決手段】インクジェットプリンタ１は、画像データに基づいて被記録媒体Ｐ上にインクが載せられて画像形成され、排出搬送される該被記録媒体Ｐの該画像形成面を、該被記録媒体Ｐの搬送方向に対して直交する主走査方向に所定幅を有し被記録媒体Ｐの搬送方向全域に渡る長さを有する複数の列部分領域に分割して、該列部分領域毎にインク滴量をインク滴検出部４で検出し、列部分領域毎に検出したインク滴量が所定の閾値よりも多い列部分領域を加熱対象列部分領域とし、該加熱対象列部分領域のみを、加熱部６のヒータを発熱させて加熱乾燥している。【選択図】          図１
2011025614.tif 000002
【特許請求の範囲】
【請求項１】
画像形成物質を画像データに基づいて被記録媒体上に載せて画像形成する画像形成手段と、
前記画像形成手段で画像形成された前記被記録媒体を排出搬送する排出搬送手段と、
前記排出搬送手段によって搬送される前記被記録媒体の画像形成面を、該被記録媒体の搬送方向に対して直交する主走査方向に所定幅を有し該被記録媒体の搬送方向全域に渡る長さを有する複数の列部分領域に分割して、該列部分領域毎に前記画像形成手段によって載せられた前記画像形成物質量を検出する画像形成物質量検出手段と、
少なくとも前記被記録媒体の前記列部分領域に対応する前記主走査方向幅を有し個別に発熱して該被記録媒体の対応する該列部分領域を加熱する部分加熱手段を、少なくとも該被記録媒体の主走査方向全幅に亘る数だけ有する加熱手段と、
前記画像形成物質量検出手段が前記列部分領域毎に検出した前記画像形成物質量が所定の基準物質量よりも多い前記列部分領域を加熱対象列部分領域とし、前記加熱手段の該加熱対象列部分領域に対応する前記部分加熱手段のみを発熱させる制御手段と、
を備えていることを特徴とする画像形成装置。
【請求項２】
前記画像形成物質量検出手段は、前記列部分領域をそれぞれ前記被記録媒体の搬送方向において複数に分割した部分領域毎に前記画像形成物質量を検出し、
前記制御手段は、前記画像形成物質量検出手段の検出した前記部分領域の前記画像形成物質量が所定の部分基準物質量よりも多い部分領域の存在する前記列部分領域を前記加熱対象列部分領域とすることを特徴とする請求項１記載の画像形成装置。
【請求項３】
前記画像形成物質量検出手段は、前記被記録媒体上の前記画像形成物質量を反射光量の変化に基づいて検出する反射型光センサであることを特徴とする請求項１または請求項２記載の画像形成装置。
【請求項４】
前記画像形成物質量検出手段は、前記画像データに基づいて前記画像形成手段が前記被記録媒体上に載せる前記画像形成物質量を前記列部分領域毎または前記部分領域毎に算出することで検出することを特徴とする請求項１または請求項２記載の画像形成装置。
【請求項５】
前記画像形成装置は、
環境湿度を検出する湿度検出手段を備え、
前記制御手段は、前記湿度検出手段の検出する湿度に基づいて前記基準物質量または前記部分基準物質量を変更することを特徴とする請求項１から請求項４のいずれかに記載の画像形成装置。
【請求項６】
前記画像形成装置は、
前記画像形成手段によって画像形成する前記被記録媒体の種別を取得する被記録媒体種別取得手段を備え、
前記制御手段は、前記被記録媒体種別取得手段の取得した前記被記録媒体の種別に基づいて前記基準物質量または前記部分基準物質量を変更することを特徴とする請求項１から請求項５のいずれかに記載の画像形成装置。
【請求項７】
画像形成物質を画像データに基づいて被記録媒体上に載せて画像形成する画像形成処理ステップと、
前記画像形成処理ステップで画像形成された前記被記録媒体を排出搬送する排出搬送処理ステップと、
前記排出搬送処理ステップで搬送される前記被記録媒体の画像形成面を、該被記録媒体の搬送方向に対して直交する主走査方向に所定幅を有し該被記録媒体の搬送方向全域に渡る長さを有する複数の列部分領域に分割して、該列部分領域毎に前記画像形成処理ステップで載せられた前記画像形成物質量を検出する画像形成物質量検出処理ステップと、
少なくとも前記被記録媒体の前記列部分領域に対応する前記主走査方向幅に亘って加熱する列部分加熱処理ステップを該被記録媒体の主走査方向全幅に亘って個別に実行する加熱処理ステップと、
前記画像形成物質量検出処理ステップで前記列部分領域毎に検出された前記画像形成物質量が所定の基準物質量よりも多い列部分領域を加熱対象列部分領域とし、前記加熱処理ステップで該加熱対象列部分領域に対応する前記部分加熱処理ステップのみを実行させる制御処理ステップと、
を有していることを特徴とする画像形成制御方法。
【請求項８】
コンピュータに、
画像形成物質を画像データに基づいて被記録媒体上に載せて画像形成する画像形成処理と、
前記画像形成処理で画像形成された前記被記録媒体を排出搬送する排出搬送処理と、
前記排出搬送処理で搬送される前記被記録媒体の画像形成面を、該被記録媒体の搬送方向に対して直交する主走査方向に所定幅を有し該被記録媒体の搬送方向全域に渡る長さを有する複数の列部分領域に分割して、該列部分領域毎に前記画像形成処理で載せられた前記画像形成物質量を検出する画像形成物質量検出処理と、
少なくとも前記被記録媒体の前記列部分領域に対応する前記主走査方向幅に亘って加熱する列部分加熱処理を該被記録媒体の主走査方向全幅に亘って個別に実行する加熱処理と、
前記画像形成物質量検出処理で前記列部分領域毎に検出された前記画像形成物質量が所定の基準物質量よりも多い列部分領域を加熱対象列部分領域とし、前記加熱処理で該加熱対象列部分領域に対応する前記部分加熱処理のみを実行させる制御処理と、
を実行させることを特徴とする画像形成制御プログラム。
【請求項９】
請求項８記載の画像形成制御プログラムを記録したことを特徴とするコンピュータが読み取り可能な記録媒体。
【発明の詳細な説明】
【技術分野】
【０００１】
本発明は、画像形成装置、画像形成制御方法、画像形成制御プログラム及び記録媒体に関し、詳細には、画像形成済み被記録媒体のカールを抑制して被記録媒体の搬送性、載置性を向上させた画像形成装置、画像形成制御方法、画像形成制御プログラム及び記録媒体に関する。
【背景技術】
【０００２】
インク噴射式プリンタ等のように、用紙やフィルム等の被記録媒体にインク等の画像形成物質（以下、必要に応じて、単に、インクという。）を載せて画像形成する場合、被記録媒体上に載せられたインクの量が多いと、画像形成面側が水分で膨張して、カール（反り）が発生する。被記録媒体がインクが載せられたことでカールすると、被記録媒体の搬送性能が悪化して、排紙搬送路上で被記録媒体の詰まり（ジャム）が発生したり、排出トレイ上に排出されると同時に被記録媒体が丸まって、次の被記録媒体が丸まった被記録媒体上に排出されて丸まる減少が繰り返され、排出トレイ上に適切に被記録媒体が堆積されなかったり、排出トレイ上から落下する等の排紙・排出性能が悪化するという問題があった。
【０００３】
そこで、従来、被記録媒体を機外に排出する前に、被記録媒体のインクによる画像形成面に風を当てて乾燥させることで、被記録媒体のカールの発生を抑制する技術が提案されている（特許文献１参照）。
【０００４】
また、従来、被記録媒体のインクによる画像形成面の裏面側を加熱しつつ、該裏面側が凸になるようにする加熱手段を設けた技術が提案されている（特許文献２参照）。
【０００５】
なお、従来、被記録媒体の幅方向サイズに応じて複数に分割されたヒータを有する定着手段を設けて、印刷状況に応じて該定着手段のヒータのオンまたはオフを制御する技術が提案されている（特許文献３参照）。
【発明の概要】
【発明が解決しようとする課題】
【０００６】
しかしながら、上記従来技術にあっては、消費電力を削減しつつ搬送性・排出性を向上させて、印刷品質を向上させるうえで、改良の必要があった。
【０００７】
すなわち、特許文献１記載の従来技術は、画像形成済みの被記録媒体に風を直接当てているため、風が当てられている最中に次の被記録媒体に画像形成が行われると、画像形成中の被記録媒体部分にも風が当たり、ノズルから吐出されたインクが被記録媒体に着弾する前に風の影響でインク滴が流されて、被記録媒体へのインク滴の着弾位置がずれてしまい、画像品質が劣化するおそれがある。
【０００８】
また、特許文献２記載の従来技術は、裏面側が凸になるように画像形成面の裏面側に主走査方向全幅に亘って加熱手段を設けると、画像形成毎に被記録媒体全面を加熱することとなり、被記録媒体サイズの小さい被記録媒体や被記録媒体の一部のみを加熱することで充分な場合にも、必要以上に大きな加熱手段を稼動させる必要がある。その結果、消費電力量が大きくなり、消費電力の削減が要望されている今日、改良の必要がある。
【０００９】
さらに、特許文献３記載の従来技術は、被記録媒体の幅方向サイズに応じて定着手段のヒータのオンまたはオフを制御しているが、定着を目的としているため、被記録媒体の全幅を加熱するサイズに亘るヒータを常にオンさせている。被記録媒体のカールを抑止して、被記録媒体の搬送性・排出性を向上させる上では、不必要な加熱を行うこととなり、消費電力を削減しつつ、被記録媒体の汎用性・排出性を向上させる上で、改良の必要があった。
【００１０】
そこで、本発明は、消費電力を削減しつつ、被記録媒体のカールが発生するのを抑制するのに必要な部分のみを加熱乾燥させて被記録媒体の搬送性・排出性を向上させることのできる画像形成装置、画像形成制御方法、画像形成制御プログラム及び記録媒体を提供することを目的としている。
【課題を解決するための手段】
【００１１】
本発明は、上記目的を達成するために、画像データに基づいて被記録媒体上に画像形成物質が載せられて画像形成され、排出搬送される該被記録媒体の該画像形成面を、該被記録媒体の搬送方向に対して直交する主走査方向に所定幅を有し該被記録媒体の搬送方向全域に渡る長さを有する複数の列部分領域に分割して、該列部分領域毎に前記画像形成物質量を検出し、該列部分領域毎に検出した該画像形成物質量が所定の基準物質量よりも多い列部分領域を加熱対象列部分領域とし、該加熱対象列部分領域のみを、加熱乾燥することを特徴としている。
【００１２】
また、本発明は、前記列部分領域をそれぞれ前記被記録媒体の搬送方向において複数に分割した部分領域毎に前記画像形成物質量を検出し、検出した該部分領域の画像形成物質量が所定の部分基準物質量よりも多い部分領域の存在する前記列部分領域を前記加熱対象列部分領域とすることを特徴としてもよい。
【００１３】
さらに、本発明は、前記被記録媒体上の前記画像形成物質量を、反射光量の変化に基づいて検出してもよいし、画像データに基づいて算出してもよい。
【００１４】
また、本発明は、前記基準物質量または前記部分基準物質量を、環境湿度または／及び被記録媒体の種別に基づいて変更してもよい。
【発明の効果】
【００１５】
本発明によれば、消費電力を削減しつつ、被記録媒体のカールの発生を抑制するのに必要な部分のみを加熱乾燥させて、被記録媒体の搬送性・排出性を向上させることができる。
【図面の簡単な説明】
【００１６】
【図１】本発明の第１実施例を適用したインクジェットプリンタの概略構成図。
【図２】インク滴検出部の構成図。
【図３】インク滴検出部の他の構成例を示す図。
【図４】インク滴検出センサの出力波形の一例を示す図。
【図５】加熱部の一例を示す図。
【図６】加熱部の他の例を示す図。
【図７】インクジェットプリンタの要部ブロック構成図。
【図８】部分領域に分割した被記録媒体とヒータの対応関係を示す図。
【図９】画像形成制御処理を示すフローチャート。
【図１０】図９の続きの画像形成制御処理を示すフローチャート。
【図１１】加熱部を画像形成部に近い排出搬送部に設けた場合のインクジェットプリンタの概略構成図。
【図１２】加熱部を画像形成部と排出搬送部の間に設けた場合の一例を示すインクジェットプリンタの概略構成図。
【図１３】加熱部を画像形成部と排出搬送部の間に設けた場合の他の例を示すインクジェットプリンタの概略構成図。
【図１４】本発明の第２実施例のインクジェットプリンタで用いる印字モード−インク滴粒対応インク滴量テーブルの一例を示す図。
【図１５】第２実施例における画像形成制御処理を示すフローチャート。
【図１６】図１５の続きの画像形成制御処理を示すフローチャート。
【図１７】本発明の第３実施例のインクジェットプリンタで用いる被記録媒体への印字率毎の外気湿度−被記録媒体カール量グラフの一例を示す図。
【図１８】第３実施例における画像形成制御処理を示すフローチャート。
【図１９】図１８の続きの画像形成制御処理を示すフローチャート。
【図２０】本発明の第４実施例における画像形成制御処理を示すフローチャート。
【図２１】図２０の続きの画像形成制御処理を示すフローチャート。
【発明を実施するための形態】
【００１７】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１８】
図１〜図１３は、本発明の画像形成装置、画像形成制御方法、画像形成制御プログラム及び記録媒体の第１実施例を示す図であり、図１は、本発明の画像形成装置、画像形成制御方法、画像形成制御プログラム及び記録媒体の第１実施例を適用したインクジェットプリンタ１の要部概略構成図である。
【００１９】
図１において、インクジェットプリンタ１は、図示しない本体筐体内に、媒体送給部２、画像形成部３、インク滴検出部４、排出搬送部５及び加熱部６等が配設されており、また、図示しないが、排媒体トレイが排出搬送部５の搬送先に設けられている。
【００２０】
媒体送給部２は、媒体トレイ２１内に各種サイズや各種厚さ等の種別の異なる複数枚の被記録媒体Ｐを収納可能であり、媒体トレイ２１内の被記録媒体Ｐを送給ローラ２２等によって、１枚ずつ分離して送り出して、媒体トレイ２１から送り出した被記録媒体Ｐを図示しない搬送ローラ等によって画像形成部３に搬送する。
【００２１】
画像形成部３は、複数の搬送ローラ３１、搬送ベルト３２及びキャリッジ３３等を備えており、搬送ローラ３１は、図示しない搬送モータによって図１の反時計方向に回転駆動される。搬送ベルト３２は、無端ベルト状に形成されており、搬送ローラ３１に張り渡されている。搬送ベルト３２は、搬送ローラ３１によって図１の反時計方向（副走査方向、搬送方向）に回転駆動されるとともに、図示しない帯電部によって帯電されて、媒体送給部２から送られてきた被記録媒体Ｐを静電吸着させた状態で、排出搬送部５に搬送する。
【００２２】
画像形成部３は、搬送ベルト３２上に、搬送ベルト３２の搬送方向と直交する方向（主走査方向）に移動可能にキャリッジ３３が配設されており、キャリッジ３３は、複数色、例えば、シアン、イエロー、マゼンタ、ブラックの各色毎に設けられたヘッドノズル、該各色のヘッドノズルにインクを供給するインクタンク等を搭載している。
【００２３】
キャリッジ３３は、被記録媒体Ｐの搬送方向（副走査方向）に対して直交する主走査方向（キャリッジ動作方向）に移動して、各色のヘッドノズルから各色のインク（画像形成物質）を、搬送ベルト３２によって搬送される被記録媒体Ｐの画像形成面（図１の上面）に吐出して載せることで、被記録媒体Ｐに画像形成（印字）し、搬送ベルト３２は、画像形成された被記録媒体Ｐを排出搬送部５に搬送する。このとき、搬送ベルト３２上の被記録媒体Ｐは、搬送ベルト３２との間の静電力により搬送ベルト３２に密着した状態で搬送される。
【００２４】
インク滴検出部（画像形成物質量検出手段）４は、図２に示すように、被記録媒体搬送方向（図２の矢印方向）に直交する主走査方向に複数のインク滴検出センサ４１ａ〜４１ｅが配設されており、各インク滴検出センサ４１ａ〜４１ｅは、画像形成された被記録媒体Ｐが通過すると、被記録媒体Ｐの該インク滴検出センサ４１ａ〜４１ｅの配設されている部分にどれだけのインクが載せられて画像形成されているかを示すインク滴量（画像形成物質量）を検出することで被記録媒体Ｐの主走査方向及び副走査方向の全域についてインク滴量を検出する。なお、図２では、インク滴検出センサ４１ａ〜４１ｅは、５個のみ記載されているが、インク滴検出センサ４１ａ〜４１ｅは、５個に限るものではない。
【００２５】
また、インク滴検出部４は、図３に示すように、画像形成部３のキャリッジ３３に１個のインク滴検出センサ４２を取り付けたものであってもよい。このインク滴検出センサ４２は、キャリッジ３３が画像形成を行うために主走査方向（被記録媒体幅方向）に移動するのに伴って画像形成後の被記録媒体Ｐの画像形成面の主走査方向全域に亘ってインク滴量を検出するとともに、被記録媒体Ｐが搬送ベルト３２によって搬送されることで、副走査方向（被記録媒体搬送方向）の全域についてもインク滴量を検出することができる。
【００２６】
このインク滴検出センサ４１ａ〜４１ｅ、４２は、例えば、赤外線式の水分計、ＬＥＤ（Light Emitting Diode）とＰＤ（Photodiode）を用いた反射型センサ等を用いることができる。赤外線式の水分計は、高精度ではあるが、価格が高価であり、反射型センサは、精度は、赤外線式の水分計よりは劣るが、価格は安価である。インク滴検出センサ４１ａ〜４１ｅ、４２は、被記録媒体Ｐがキャリッジ３３から吐出されたインクによって形成された画像の濃度の変化によってカールするのを、画像濃度の高い部分のインクを乾燥させて防止する上で、乾燥させる必要のあるインク滴量であるか否かの判断を行うために、インク滴量を検出するのに使用するものであるため、反射型センサであっても機能的には、充分な検出能力を有しているとともに、インクジェットプリンタ１の価格を低減させることもできる。そこで、以下の説明においては、インク滴検出センサ４１ａ〜４１ｅ、４２として、反射型センサを用いているものとして説明するが、赤外線式の水分計やその他のインク滴量を検出することのできるセンサであってもよい。
【００２７】
反射型センサを用いたインク滴検出センサ４１ａ〜４１ｅ、４２は、その出力波形が、例えば、図４のように示され、被記録媒体Ｐが時間とともに搬送されるのに伴って、インク滴検出センサ４１ａ〜４１ｅ、４２の出力するセンサ出力値が上下する。例えば、白色の被記録媒体Ｐに画像形成する場合、図４において、被記録媒体Ｐ上にインクが存在しない部分である印字無しの領域部分については、インク滴検出センサ４１ａ〜４１ｅ、４２の発光部であるＬＥＤから被記録媒体Ｐに出射された光の被記録媒体Ｐでの反射光量が大きいため、インク滴検出センサ４１ａ〜４１ｅ、４２の受光部であるＰＤで受光する光量が多くなり、センサ出力値が大きくなる。また、被記録媒体Ｐ上に文字情報のみで印字（画像形成）された部分においては、図４に文字印字部として示すように、文字が印字されている箇所で一瞬だけセンサ出力値が下がるが、非印字箇所でセンサ出力値が元の値になり、さらに、絵情報等のインクがある程度広い範囲にわたって吐出された部分（ベタ印字部）では、被記録媒体Ｐ上で反射されるＬＥＤの光量が小さくなるため、図４にベタ印字部として示すように、センサ出力値は大きく下がる。
【００２８】
そして、インクジェットプリンタ１は、インク滴検出センサ４１ａ〜４１ｅ、４２のセンサ出力値が、予め設定されている閾値（基準物質量、部分基準物質量）Ｖthまで下がると、被記録媒体Ｐのその部分には、インクが設定量以上に多く吐出されたと判断する。
【００２９】
排出搬送部５は、例えば、図示しない排出搬送ベルトと排出搬送ベルトを回転駆動させる排出搬送ローラ等の排出機構等を備えており、排出機構は、画像形成部３から搬送されてきた画像形成済みの被記録媒体Ｐを図示しない排媒体トレイ上に排出して載置させる。上記搬送ローラ３１、搬送ベルト３２及び排出搬送部５は、全体として排出搬送手段として機能している。
【００３０】
加熱部（加熱手段）６は、例えば、図５に示すように、被記録媒体Ｐの画像形成面とは反対側の裏面側に配設され、副走査方向（被記録媒体Ｐの搬送方向）に、被記録媒体Ｐの長さに比較して相当に短い所定長さを有するとともに、主走査方向に所定幅を有する複数のヒータ（部分加熱手段）６１ａ〜６１ｅが、主走査方向に並んで配設されている。ヒータ６１ａ〜６１ｅは、その主走査方向の幅が、インク滴検出センサ４１ａ〜４１ｅ、４２が検出する検出幅に対応する大きさとなっている。ヒータ６１ａ〜６１ｅは、それぞれ個別にヒータ電源電圧がオン／オフされ、オンされたヒータ６１ａ〜６１ｅのみが発熱して、被記録媒体Ｐの対応する部分上に載せられたインクを加熱乾燥させる。なお、加熱部６としては、図５に示したように被記録媒体Ｐの長さに比較して相当に短い長さを有するヒータ６１ａ〜６１ｅに限るものではなく、例えば、図６に示すように、被記録媒体Ｐの長さ程度の長さを有する複数のヒータ（部分加熱手段）６２ａ〜６２ｅが主走査方向に並んで配設されたものであってもよいし、被記録媒体Ｐの長さ程度には長くなくても、被記録媒体に対してある程度長さを有するヒータが主走査方向に複数配設されたものであってもよい。このように、被記録媒体Ｐの長さ程度等のように副走査方向にある程度の長さを有するヒータ６２ａ〜６２ｅを用いると、被記録媒体Ｐの同じ部分を加熱している時間を長くすることができ、被記録媒体Ｐの搬送速度が速い場合にも、充分に被記録媒体Ｐを加熱してインクを乾燥させることができる。
【００３１】
そして、インクジェットプリンタ１は、図７に示すように、メイン制御部７０、上記インク滴検出部４、加熱部６等を備えているとともに、操作表示部８１及び温湿度センサ８２等を備えており、図示しないＬＡＮ（Local Area Network）等のネットワークを介して原稿の画像を読み取るスキャナＳＣやコンピュータＰＣ等の外部装置ＧＳが接続されている。なお、インクジェットプリンタ１は、図７には、図示していないが、上記画像形成を行う媒体送給部２、画像形成部３及び排出搬送部５等を備えており、メイン制御部７０が動作制御して、画像形成を行う。
【００３２】
メイン制御部７０は、ＣＰＵ（Central Processing Unit ）７１、ＲＯＭ（Read Only Memory）７２、ＲＡＭ（Random Access Memory）７３、画像データ処理部７４及びヒータ制御部７５等を備えており、ＲＯＭ７２内には、インクジェットプリンタ１としての基本プログラムや本発明の画像形成制御プログラム等のプログラム及びこれらのプログラムを実行するのに必要なデータ等が格納されている。ＣＰＵ７１は、ＲＯＭ７２内のプログラムに基づいてＲＡＭ７３をワークメモリとして利用してインクジェットプリンタ１の各部を制御して、インクジェットプリンタ１としての処理を実行するとともに、画像形成済の被記録媒体Ｐのうちインクの量が多い部分をインク滴検出部４で検出して該インク滴量の多い部分のみを加熱部６で加熱乾燥させる画像形成方法を実行する。
【００３３】
すなわち、インクジェットプリンタ１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像形成制御方法を実行する画像形成制御プログラムを読み込んでＲＯＭ７２や図示しないハードディスク等に導入することで、後述する画像形成済み被記録媒体Ｐのうちインク滴量が所定量よりも多い部分のみを加熱乾燥させる画像形成制御方法を実行する画像形成装置として構築されている。この画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００３４】
特に、ＣＰＵ（制御手段）７１は、画像形成制御処理において、画像形成する被記録媒体Ｐを、例えば、図８に示すような複数の部分領域Ａ〜Ｙに概念上分割し、各部分領域Ａ〜Ｙのインク滴量を検出して該インク滴量に基づいて該部分領域Ａ〜Ｙに対するインクの加熱乾燥の必要性であるか否かを判定して、必要な部分領域Ａ〜Ｙのインクのみを加熱乾燥する。
【００３５】
上記インク滴検出部４は、そのインク滴検出センサ４１ａ〜４１ｅまたはインク滴検出センサ４２が被記録媒体Ｐ上の検出領域のインク滴量を検出して、その検出結果をセンサ出力値としてＣＰＵ７１に出力する。
【００３６】
画像データ処理部７４には、外部装置ＧＳであるスキャナＳＣやコンピュータＰＣから送られてきた画像データが入力され、画像データ処理部７４は、入力される画像データに対して画像形成部３で画像形成するのに適したデータ処理等の各種データ処理を行う。
【００３７】
ヒータ制御部７５には、加熱部６の各ヒータ６１ａ〜６１ｅまたはヒータ６２ａ〜６２ｅが接続されており、ヒータ制御部７５は、ＣＰＵ７１の制御下で、加熱部６のヒータ６１ａ〜６１ｅまたはヒータ６２ａ〜６２ｅを個別にオン／オフ制御する。ヒータ６１ａ〜６１ｅまたはヒータ６２ａ〜６２ｅは、オンになると、オンになっている間、被記録媒体Ｐの対向する部分を帯状に加熱して、インクを乾燥させる。
【００３８】
操作表示部８１は、インクジェットプリンタ１を操作するのに必要な各種キーを備えるとともに、ディスプレイ（例えば、液晶ディスプレイ）やＬＥＤ（Light Emitting Diode）等のランプを備えている。操作表示部８１は、操作キーから、インクジェットプリンタ１を利用した画像形成処理（印刷処理）に必要な各種操作や後述するように被記録媒体Ｐの部分乾燥を行う画像形成制御処理での各種操作が行われ、ディスプレイに、操作キーから入力された命令内容やインクジェットプリンタ１からオペレータに通知する各種情報を表示する。
【００３９】
温湿度センサ（湿度検出手段）８２は、環境温度及び環境湿度を検出して、検出した環境温度及び環境湿度をＣＰＵ７１に出力する。ＣＰＵ７１は、温湿度センサ８２の検出する環境湿度に基づいて被記録媒体Ｐの部分乾燥を行う画像形成制御処理を実行するが、本実施例の画像形成制御処理では環境湿度に基づく画像形成制御処理を実行しないため、本実施例では、インクジェットプリンタ１としては、温湿度センサ８２を備えていなくてもよい。
【００４０】
次に、本実施例の作用を説明する。本実施例のインクジェットプリンタ１は、図９及び図１０に示すように、画像形成済の被記録媒体Ｐ上の部分領域Ａ〜Ｙのインク滴量を判別して、インク滴量が所定量よりも多い部分領域Ａ〜Ｙに対してのみ、加熱部６で加熱してインクを乾燥させる画像形成制御処理を行う。
【００４１】
そして、インクジェットプリンタ１は、操作表示部８１の操作またはコンピュータＰＣからの信号によって印刷要求があると、コンピュータＰＣまたはスキャナＳＣからの画像データを画像データ処理部７４で必要な画像処理を施した後、１ページずつ画像データに基づいて、画像形成部３のキャリッジ３３に搭載されている各色のヘッドノズルから被記録媒体Ｐ上に吐出するインク滴を制御して被記録媒体Ｐに画像形成する。
【００４２】
そこで、ＣＰＵ７１は、図９に示すように、まず、媒体送給部２の動作を制御して被記録媒体Ｐを媒体トレイ２１から画像形成部３に搬送させ、画像形成部３で、搬送ベルト３２による被記録媒体Ｐの搬送とキャリッジ３３を主走査方向に移動させて画像データに基づいてヘッドノズルからインク滴を被記録媒体Ｐに吐出させる画像形成動作を行わせて、被記録媒体Ｐの１ページに対して画像形成させる（ステップＳ１０１）。
【００４３】
ＣＰＵ７１は、画像形成された被記録媒体Ｐ上のインク滴量をインク滴検出部４のインク滴検出センサ４１ａ〜４１ｅまたはインク滴検出センサ４２で検出させて、インク滴検出センサ４１ａ〜４１ｅまたはインク滴検出センサ４２からのセンサ出力値（センサ電圧値）を、図８に示した被記録媒体Ｐの部分領域Ａ〜Ｙ毎に、その部分領域Ａ〜Ｙにおいて最小（ｍｉｎ）のセンサ出力値（ＶA、ＶB、・・・・、ＶY）を検出して、ＲＡＭ７３に各部分領域Ａ〜Ｙ毎に該最小のセンサ出力値（最も多いインク滴量に対応する値）を対応させて記憶する（ステップＳ１０２）。
【００４４】
ＣＰＵ７１は、被記録媒体Ｐの全ての部分領域Ａ〜Ｙについてインク滴検出センサ４１ａ〜４１ｅまたはインク滴検出センサ４２の検出したセンサ出力値の最小値を取得してＲＡＭ７３に保管すると、被記録媒体Ｐの部分領域Ａ〜Ｙに対して、被記録媒体Ｐの副走査方向に並んでいる列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に、該列部分領域Ａ〜Ｅ、列部分領域Ｆ〜Ｊ、列部分領域Ｋ〜Ｏ、列部分領域Ｐ〜Ｔ、列部分領域Ｕ〜Ｙに属する部分領域Ａ〜Ｙに対してインク滴検出センサ４１ａ〜４１ｅまたはインク滴検出センサ４２が検出した最小センサ出力値のうち、予め設定されてＲＯＭ７２等の不揮発性メモリに格納されている閾値Ｖth（図４参照）よりも小さい最小センサ出力値が存在するか否かを判別して、閾値Ｖthよりも小さい最小センサ出力値が存在する列部分領域Ａ〜Ｅ、列部分領域Ｆ〜Ｊ、列部分領域Ｋ〜Ｏ、列部分領域Ｐ〜Ｔ、列部分領域Ｕ〜Ｙが存在すると、その列部分領域Ａ〜Ｅ、列部分領域Ｆ〜Ｊ、列部分領域Ｋ〜Ｏ、列部分領域Ｐ〜Ｔ、列部分領域Ｕ〜Ｙを加熱対象列部分領域として、該加熱対象列部分領域に対応する位置のヒータ６１ａ〜６１ｅまたはヒータ６２ａ〜６２ｅをオンにする（ステップＳ１０３〜Ｓ１１２）。
【００４５】
すなわち、ＣＰＵ７１は、例えば、図８の最上段の列部分領域Ａ〜Ｅについて、該列部分領域Ａ〜Ｅでの最小センサ出力値ＶA〜ＶEをＲＡＭ７３から読み出してこれらの最小センサ出力値ＶA〜ＶEのうちいずれかが閾値Ｖthよりも小さいセンサ出力値があるか否か、すなわち、インク滴量が閾値Ｖthのインク滴量よりも多いインク滴量である部分領域Ａ〜Ｅがあるか否かをチェックし（ステップＳ１０３）、閾値Ｖthよりも小さい最小センサ出力値ＶA〜ＶEが存在するときには、列部分領域Ａ〜Ｅにインク滴量が閾値Ｖthのインク滴量よりも多く加熱乾燥を必要とする部分領域Ａ〜Ｅがあると判断して、列部分領域Ａ〜Ｅに対応するヒータ６１ａまたはヒータ６２ａをオンにして（ステップＳ１０４）、次の列部分領域Ｆ〜Ｊの最小センサ出力値ＶF〜ＶJに対して、閾値Ｖthよりも小さい最小センサ出力値ＶF〜ＶJがあるか否かのチェックを同様に行う（ステップＳ１０５）。ステップＳ１０３で、閾値Ｖthよりも小さい最小センサ出力値ＶA〜ＶEが存在しないときには、ＣＰＵ７１は、列部分領域Ａ〜Ｅに加熱乾燥を必要とするインク滴量の部分領域Ａ〜Ｅが無いと判断して、ヒータ６１ａまたはヒータ６２ａをオフにしたまま、次の列部分領域Ｆ〜Ｊの最小センサ出力値ＶF〜ＶJに対して、閾値Ｖthよりも小さい最小センサ出力値ＶF〜ＶJがあるか否かのチェックを同様に行う（ステップＳ１０５）。
【００４６】
ＣＰＵ７１は、ステップＳ１０５で、閾値Ｖthよりも小さい最小センサ出力値ＶF〜ＶJが存在するときには、列部分領域Ｆ〜Ｊに加熱乾燥を必要とするインク滴量の部分領域Ｆ〜Ｊがあると判断して、列部分領域Ｆ〜Ｊに対応するヒータ６１ｂまたはヒータ６２ｂをオンにして（ステップＳ１０６）、図１０に示すように、次の列部分領域Ｋ〜Ｏの最小センサ出力値ＶK〜ＶOに対して、閾値Ｖthよりも小さい最小センサ出力値ＶK〜ＶOがあるか否かのチェックを同様に行う（ステップＳ１０７）。ステップＳ１０５で、閾値Ｖthよりも小さい最小センサ出力値ＶF〜ＶJが存在しないときには、ＣＰＵ７１は、列部分領域Ｆ〜Ｊに加熱乾燥を必要とするインク滴量の部分領域Ｆ〜Ｊが無いと判断して、ヒータ６１ｂまたはヒータ６２ｂをオフにしたまま、次の列部分領域Ｋ〜Ｏの最小センサ出力値ＶK〜ＶOに対して、閾値Ｖthよりも小さい最小センサ出力値ＶK〜ＶOがあるか否かのチェックを同様に行う（ステップＳ１０７）。
【００４７】
ＣＰＵ７１は、ステップＳ１０７で、閾値Ｖthよりも小さい最小センサ出力値ＶK〜ＶOが存在するときには、列部分領域Ｋ〜Ｏに加熱乾燥を必要とするインク滴量の部分領域Ｋ〜Ｏがあると判断して、列部分領域Ｋ〜Ｏに対応するヒータ６１ｃまたはヒータ６２ｃをオンにして（ステップＳ１０８）、次の列部分領域Ｐ〜Ｔの最小センサ出力値ＶP〜ＶTに対して、閾値Ｖthよりも小さい最小センサ出力値ＶP〜ＶTがあるか否かのチェックを同様に行う（ステップＳ１０９）。ステップＳ１０７で、閾値Ｖthよりも小さい最小センサ出力値ＶK〜ＶOが存在しないときには、ＣＰＵ７１は、列部分領域Ｋ〜Ｏに加熱乾燥を必要とするインク滴量の部分領域Ｋ〜Ｏが無いと判断して、ヒータ６１ｃまたはヒータ６２ｃをオフにしたまま、次の列部分領域Ｐ〜Ｔの最小センサ出力値ＶP〜ＶTに対して、閾値Ｖthよりも小さい最小センサ出力値ＶP〜ＶTがあるか否かのチェックを同様に行う（ステップＳ１０９）。
【００４８】
ＣＰＵ７１は、ステップＳ１０９で、閾値Ｖthよりも小さい最小センサ出力値ＶP〜ＶTが存在するときには、列部分領域Ｐ〜Ｔに加熱乾燥を必要とするインク滴量の部分領域Ｐ〜Ｔがあると判断して、列部分領域Ｐ〜Ｔに対応するヒータ６１ｄまたはヒータ６２ｄをオンにして（ステップＳ１１０）、次の列部分領域Ｕ〜Ｙの最小センサ出力値ＶU〜ＶYに対して、閾値Ｖthよりも小さい最小センサ出力値ＶU〜ＶYがあるか否かのチェックを同様に行う（ステップＳ１１１）。ステップＳ１０９で、閾値Ｖthよりも小さい最小センサ出力値ＶP〜ＶTが存在しないときには、ＣＰＵ７１は、列部分領域Ｐ〜Ｔに加熱乾燥を必要とするインク滴量の部分領域Ｐ〜Ｔが無いと判断して、ヒータ６１ｄまたはヒータ６２ｄをオフにしたまま、次の列部分領域Ｕ〜Ｙの最小センサ出力値ＶU〜ＶYに対して、閾値Ｖthよりも小さい最小センサ出力値ＶU〜ＶYがあるか否かのチェックを同様に行う（ステップＳ１１１）。
【００４９】
ＣＰＵ７１は、ステップＳ１１１で、閾値Ｖthよりも小さい最小センサ出力値ＶU〜ＶYが存在するときには、列部分領域Ｕ〜Ｙに加熱乾燥を必要とするインク滴量の部分領域Ｕ〜Ｙがあると判断して、列部分領域Ｕ〜Ｙに対応するヒータ６１ｅまたはヒータ６２ｅをオンにして（ステップＳ１１２）、被記録媒体Ｐの排出搬送部５を介して排媒体トレイへ排出する排出処理を行う（ステップＳ１１３）。ステップＳ１１１で、閾値Ｖthよりも小さい最小センサ出力値ＶU〜ＶYが存在しないときには、ＣＰＵ７１は、列部分領域Ｕ〜Ｙに加熱乾燥を必要とするインク滴量の部分領域Ｕ〜Ｙが無いと判断して、ヒータ６１ｅまたはヒータ６２ｅをオフにしたまま、被記録媒体Ｐの排出搬送部５を介して排媒体トレイへ排出する排出処理を行う（ステップＳ１１３）。
【００５０】
ＣＰＵ７１は、被記録媒体Ｐの排出を完了すると、全てのヒータ６１ａ〜６１ｅまたはヒータ６２ａ〜６２ｅをオフにして、１ページの画像形成処理を終了する（ステップＳ１１４）。ＣＰＵ７１は、以降、次のページを画像形成するときには、上記同様の処理を繰り返し行う。
【００５１】
なお、上記図１及び図３では、加熱部６が排出搬送部５の中程に配設されている場合について示しているが、加熱部６は、排出搬送部５の中程に配設される場合に限るものではなく、例えば、図１１に示すように、排出搬送部５上であって画像形成部３に近い位置に加熱部６を配設してもよいし、図１２または図１３に示すように、画像形成部３と排出搬送部５との間に加熱部６を配設してもよい。なお、図１１から図１３には、記載されていないが、図１１から図１３の場合においても、インク滴検出部４は、加熱部５よりも被記録媒体Ｐの搬送方向上流側に配設されている。
【００５２】
すなわち、図１２の場合、排出搬送部５が、画像形成部３と同様に、複数の搬送ローラ５１と搬送ローラ５１によって搬送駆動される搬送ベルト５２とで構成されており、加熱部６をこの画像形成部３と排出搬送部５との間に、加熱部６のヒータ６１ａ〜６１ｅまたはヒータ６２ａ〜６２ｅの上面と搬送ベルト３２の上面及び搬送ベルト５２の上面が同一平面となるように配設されている。
【００５３】
このようにすると、画像形成部３で画像形成された被記録媒体Ｐが、その裏面が加熱部６のヒータ６１ａ〜６１ｅまたはヒータ６２ａ〜６２ｅに接触した状態で排出搬送部５に搬送させることができ、効率的に被記録媒体Ｐの裏面を加熱してインクを効率的にかつ高速に加熱乾燥させることができる。
【００５４】
また、図１３の場合、画像形成部３及び排出搬送部５を、搬送板３５と搬送板３５の下方に搬送板３５上に一部が突出する状態で排出された画像形成部３側の駆動ローラ３６と排出搬送部５側の駆動ローラ５６及び駆動ローラ３６、５６に接触する状態で配設された従動ローラ３７と従動ローラ５７等で構成されており、このような構成の画像形成部３と排出搬送部５の間の搬送板３５の下面（被記録媒体Ｐの搬送面とは反対面）に加熱部６を取り付けられている。
【００５５】
図１３の場合には、画像形成部３と排出搬送部５の構成及び加熱部６の取り付けを簡素化することができ、コストを低減することはできるが、加熱部６の熱が搬送板３５を介して被記録媒体Ｐに伝達されるとともに、被記録媒体Ｐが画像形成部３側の駆動ローラ３６と従動ローラ３７との間に挟まれ、かつ、排出搬送部５側の駆動ローラ５６と従動ローラ５７との間に挟まれた状態で搬送されると、加熱部６の取り付けられている部分で被記録媒体Ｐが搬送板３５から浮いた状態で搬送される。このように被記録媒体Ｐが加熱部６の取り付けられている搬送板３５から浮いて空間が空いた状態で搬送されると、加熱部６から被記録媒体Ｐへの熱伝導率がさらに低下し、加熱部６による被記録媒体Ｐの加熱乾燥効率が低下するおそれがあるが、価格が安価である。
【００５６】
このように、本実施例のインクジェットプリンタ１は、画像データに基づいて被記録媒体Ｐ上にインクが載せられて画像形成され、排出搬送される該被記録媒体Ｐの該画像形成面を、該被記録媒体Ｐの搬送方向に対して直交する主走査方向に所定幅を有し被記録媒体Ｐの搬送方向全域に渡る長さを有する複数の列部分領域Ａ〜Ｅ、列部分領域Ｆ〜Ｊ、列部分領域Ｋ〜Ｏ、列部分領域Ｐ〜Ｔ、列部分領域Ｕ〜Ｙに分割して、該列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎にインク滴量を検出し、列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に検出したインク滴量が所定の基準物質量である閾値Ｖthよりも多い列部分領域Ａ〜Ｅ、列部分領域Ｆ〜Ｊ、列部分領域Ｋ〜Ｏ、列部分領域Ｐ〜Ｔ、列部分領域Ｕ〜Ｙを加熱対象列部分領域とし、該加熱対象列部分領域のみを、加熱部６のヒータ６１ａ〜６１ｅまたはヒータ６２ａ〜６２ｅを発熱させて加熱乾燥している。
【００５７】
したがって、画像形成済みの被記録媒体Ｐのうちカールを引き起こすおそれのある列部分のみを加熱乾燥することができ、消費電力を削減することができるとともに、被記録媒体Ｐのカールの発生を防止して、搬送性・載置性を向上させることができる。
【００５８】
また、本実施例のインクジェットプリンタ１は、列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に、該列部分領域Ａ〜Ｅ、列部分領域Ｆ〜Ｊ、列部分領域Ｋ〜Ｏ、列部分領域Ｐ〜Ｔ、列部分領域Ｕ〜Ｙを、それぞれ被記録媒体Ｐの搬送方向において、複数に分割した部分領域Ａ〜Ｙ毎にインク滴量を検出し、検出した部分領域Ａ〜Ｙのインク滴量が所定の部分基準物質量である閾値Ｖthよりも多い部分領域Ａ〜Ｙの存在する列部分領域Ａ〜Ｅ、列部分領域Ｆ〜Ｊ、列部分領域Ｋ〜Ｏ、列部分領域Ｐ〜Ｔ、列部分領域Ｕ〜Ｙを加熱対象列部分領域として、該加熱対象列部分領域のみを、加熱部６のヒータ６１ａ〜６１ｅまたはヒータ６２ａ〜６２ｅを発熱させて加熱乾燥している。
【００５９】
したがって、より細かい領域に対してインク滴量を検出して、加熱乾燥の要否を判別することができ、消費電力を削減することができるとともに、被記録媒体Ｐのカールの発生をより一層適切に防止して、搬送性・載置性をより一層向上させることができる。
【００６０】
さらに、本実施例のインクジェットプリンタ１は、被記録媒体Ｐ上のインク滴量を、反射光量の変化に基づいて検出するインク滴検出センサ４１ａ〜４１ｅまたはインク滴検出センサ４２を用いて検出している。
【００６１】
したがって、被記録媒体Ｐにカールが発生するか否かの判定に必要なインク滴量を安価にかつ必要な精度で検出することができる。
【００６２】
また、加熱部６を画像形成部３と排出搬送部５との間に配設すると、画像形成部３で被記録媒体Ｐに吐出されたインク滴を、排出搬送部５と画像形成部３との間で、可能な限り早いタイミングで加熱乾燥させることができ、未乾燥のインクが載った状態の被記録媒体Ｐが排出搬送部５を搬送されて排出搬送部５が未乾燥の行くによって汚れることを防止することができる。
【実施例２】
【００６３】
図１４から図１６は、本発明の画像形成装置、画像形成制御方法、画像形成制御プログラム及び記録媒体の第２実施例を示す図であり、図１４は、本発明の画像形成装置、画像形成制御方法、画像形成制御プログラム及び記録媒体の第２実施例を適用したインクジェットプリンタに保管されている印字モード−インク滴粒対応インク滴量テーブルＴｂの一例を示す図、図１５及び図１６は、第２実施例のインクジェットプリンタによる画像形成制御処理を示すフローチャートである。
【００６４】
なお、本実施例は、上記第１実施例のインクジェットプリンタ１と同様のインクジェットプリンタに適用したものであり、本実施例の説明においては、第１実施例で用いた符号をそのまま用いて説明する。
【００６５】
本実施例のインクジェットプリンタ１は、図１４に示すように、複数の印字モード（画像形成モード：Ｍ１、Ｍ２、Ｍ３）を備えており、また、各印字モードＭ１〜Ｍ３において、大きさの異なるインク滴（大滴、中滴、小滴）が設定されている。インクジェットプリンタ１は、画像データに基づいてインク滴の大きさ（インク滴粒）が、大滴、中滴、小滴のいずれであるかを決定し、また、操作表示部８１での設定操作またはコンピュータＰＣからの印刷要求に基づいて印字モード（印刷モード）が、印字モードＭ１、印字モードＭ２、印字モードＭ３のうちいずれであるかを決定する。インクジェットプリンタ１は、印字モードＭ１〜Ｍ３とインク滴粒を決定すると、画像形成する被記録媒体Ｐを、例えば、図８に示したような複数の部分領域Ａ〜Ｙに概念上分割し、各部分領域Ａ〜Ｙのインク滴量を、印字モードと画像データに基づいて、印字モード−インク滴粒対応インク滴量テーブルＴｂを参照して、各部分領域Ａ〜Ｙにおけるインク滴量を算出し、インク滴量が予め設定されている所定の閾値Ｉthを超えている部分領域Ａ〜Ｙが存在するか否かによって、インクの加熱乾燥が必要性であるか否かを判定して、必要な部分領域Ａ〜Ｙのインクのみを加熱乾燥する。
【００６６】
そして、インクジェットプリンタ１は、上記印字モード−インク滴粒対応インク滴量テーブルＴｂを予めＲＯＭ７２等の不揮発性メモリに格納しており、操作表示部８１の操作またはコンピュータＰＣからの信号によって印刷要求があると、コンピュータＰＣまたはスキャナＳＣからの画像データを画像データ処理部７４で必要な画像処理を施した後、１ページずつ画像データに基づいて、画像形成部３のキャリッジ３３に搭載されている各色のヘッドノズルから被記録媒体Ｐ上に吐出するインク滴を制御して被記録媒体Ｐに画像形成する。ＣＰＵ７１は、操作表示部８１またはコンピュータＰＣから指示された印字モードと画像データに基づいて、印字モード−インク滴粒対応インク滴量テーブルＴｂを参照して、各部分領域Ａ〜Ｙのインク滴量を求め、部分領域Ａ〜Ｙの加熱乾燥に必要性の有無を判定して、ヒータ６１ａ〜６１ｅまたはヒータ６２ａ〜６２ｅのオン／オフを制御する。したがって、本実施例のインクジェットプリンタ１は、第１実施例のインクジェットプリンタ１で設けられていたインク滴検出センサ４１ａ〜４１ｅまたはインク滴検出センサ４２が設けられていない。
【００６７】
すなわち、インクジェットプリンタ１は、図１５に示すように、まず、媒体送給部２の動作を制御して被記録媒体Ｐを媒体トレイ２１から画像形成部３に搬送させ、画像形成部３で、搬送ベルト３２による被記録媒体Ｐの搬送とキャリッジ３３を主走査方向に移動させて画像データに基づいてヘッドノズルからインク滴を被記録媒体Ｐに吐出させる画像形成動作を行わせて、被記録媒体Ｐの１ページに対して画像形成させる（ステップＳ２０１）。
【００６８】
次に、ＣＰＵ７１は、画像データを画像データ処理部７４に取り込んで、画像データ処理部７４で、画像データを各部分領域Ａ〜Ｙ毎に分割し、各部分領域Ａ〜Ｙにおけるインク滴量ＩA〜ＩYを、上記印字モード及び画像データに基づいて印字モード−インク滴粒対応インク滴量テーブルＴｂを参照して算出して、算出結果を各部分領域Ａ〜Ｙ毎にＲＡＭ７３に記憶する（ステップＳ２０２）。例えば、印字モードがＭ１で部分領域Ａに小滴が３０００滴、中滴が２０００滴、大滴が１０００滴打たれた場合、部分領域Ａのインク滴量ＩAは、印字モード−インク滴粒対応インク滴量テーブルＴｂから印字モードの大滴が３９、中滴が２４、小滴が１１であるので、１２００００（３０００×１１＋２０００×２４＋１０００×３９）となる。このインク滴量ＩAが大きいほど、その部分領域Ａ〜Ｙ内に塗布されたインク滴量が多いことを示している。なお、この各部分領域Ａ〜Ｙのインク滴量ＩA〜ＩYの算出処理は、ステップＳ２０１で、画像形成のために画像データを画像データ処理部７４に取り込んだ段階で、行ってもよい。
【００６９】
ＣＰＵ７１は、被記録媒体Ｐの全ての部分領域Ａ〜Ｙについてインク滴量ＩA〜ＩYを算出してＲＡＭ７３に保管すると、被記録媒体Ｐの部分領域Ａ〜Ｙに対して、被記録媒体Ｐの副走査方向に並んでいる列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に、該列部分領域Ａ〜Ｅ、列部分領域Ｆ〜Ｊ、列部分領域Ｋ〜Ｏ、列部分領域Ｐ〜Ｔ、列部分領域Ｕ〜Ｙに属する部分領域Ａ〜Ｙに対してインク滴量ＩA〜ＩYのうち、予め設定されてＲＯＭ７２等の不揮発性メモリに格納されている閾値（部分基準物質量）Ｉthよりも多いインク滴量ＩA〜ＩYが存在するか否かを判別して、閾値Ｉthよりも多いインク滴量ＩA〜ＩYの部分領域Ａ〜Ｙの存在する列部分領域Ａ〜Ｅ、列部分領域Ｆ〜Ｊ、列部分領域Ｋ〜Ｏ、列部分領域Ｐ〜Ｔ、列部分領域Ｕ〜Ｙが存在すると、その列部分領域Ａ〜Ｅ、列部分領域Ｆ〜Ｊ、列部分領域Ｋ〜Ｏ、列部分領域Ｐ〜Ｔ、列部分領域Ｕ〜Ｙに対応する位置のヒータ６１ａ〜６１ｅまたはヒータ６２ａ〜６２ｅをオンにする（ステップＳ２０３〜Ｓ２１２）。
【００７０】
すなわち、ＣＰＵ７１は、例えば、図８の最上段の列部分領域Ａ〜Ｅについて、該列部分領域Ａ〜Ｅでのインク滴量ＩA〜ＩEをＲＡＭ７３から読み出してこれらのインク滴量ＩA〜ＩEのうちいずれかが閾値Ｉthよりも多いインク滴量ＩA〜ＩEがあるか否かをチェックし（ステップＳ２０３）、閾値Ｉthよりも多いインク滴量ＩA〜ＩEが存在するときには、加熱乾燥を必要とする部分領域Ａ〜Ｅがあると判断して、列部分領域Ａ〜Ｅに対応するヒータ６１ａまたはヒータ６２ａをオンにして（ステップＳ２０４）、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ２０５）。ステップＳ２０３で、閾値Ｉthよりも多いインク滴量ＩA〜ＩEが存在しないときには、ＣＰＵ７１は、列部分領域Ａ〜Ｅに加熱乾燥を必要とするインク滴量の部分領域Ａ〜Ｅが無いと判断して、ヒータ６１ａまたはヒータ６２ａをオフにしたまま、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ２０５）。
【００７１】
ＣＰＵ７１は、ステップＳ２０５で、閾値Ｉthよりも多いインク滴量ＩF〜ＩJが存在するときには、加熱乾燥を必要とする部分領域Ｆ〜Ｊがあると判断して、列部分領域Ｆ〜Ｊに対応するヒータ６１ｂまたはヒータ６２ｂをオンにして（ステップＳ２０６）、図１６に示すように、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ２０７）。ステップＳ２０５で、閾値Ｉthよりも多いインク滴量ＩF〜ＩJが存在しないときには、ＣＰＵ７１は、列部分領域Ｆ〜Ｊに加熱乾燥を必要とするインク滴量の部分領域Ｆ〜Ｊが無いと判断して、ヒータ６１ｂまたはヒータ６２ｂをオフにしたまま、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ２０７）。
【００７２】
ＣＰＵ７１は、ステップＳ２０７で、閾値Ｉthよりも多いインク滴量ＩK〜ＩOが存在するときには、加熱乾燥を必要とする部分領域Ｋ〜Ｏがあると判断して、列部分領域Ｋ〜Ｏに対応するヒータ６１ｃまたはヒータ６２ｃをオンにして（ステップＳ２０８）、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ２０９）。ステップＳ２０７で、閾値Ｉthよりも多いインク滴量ＩK〜ＩOが存在しないときには、ＣＰＵ７１は、列部分領域Ｋ〜Ｏに加熱乾燥を必要とするインク滴量の部分領域Ｋ〜Ｏが無いと判断して、ヒータ６１ｃまたはヒータ６２ｃをオフにしたまま、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ２０９）。
【００７３】
ＣＰＵ７１は、ステップＳ２０９で、閾値Ｉthよりも多いインク滴量ＩP〜ＩTが存在するときには、加熱乾燥を必要とする部分領域Ｐ〜Ｔがあると判断して、列部分領域Ｐ〜Ｔに対応するヒータ６１ｄまたはヒータ６２ｄをオンにして（ステップＳ２１０）、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ２１１）。ステップＳ２０９で、閾値Ｉthよりも多いインク滴量ＩP〜ＩTが存在しないときには、ＣＰＵ７１は、列部分領域Ｋ〜Ｏに加熱乾燥を必要とするインク滴量の部分領域Ｐ〜Ｔが無いと判断して、ヒータ６１ｄまたはヒータ６２ｄをオフにしたまま、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ２１１）。
【００７４】
ＣＰＵ７１は、ステップＳ２１１で、閾値Ｉthよりも多いインク滴量ＩU〜ＩYが存在するときには、加熱乾燥を必要とする部分領域Ｕ〜Ｙがあると判断して、列部分領域Ｕ〜Ｙに対応するヒータ６１ｅまたはヒータ６２ｅをオンにして（ステップＳ２１２）、被記録媒体Ｐの排出搬送部５を介して排媒体トレイへ排出する排出処理を行う（ステップＳ２１３）。ステップＳ２１１で、閾値Ｉthよりも多いインク滴量ＩU〜ＩYが存在しないときには、ＣＰＵ７１は、列部分領域Ｕ〜Ｙに加熱乾燥を必要とするインク滴量の部分領域Ｕ〜Ｙが無いと判断して、ヒータ６１ｅまたはヒータ６２ｅをオフにしたまま、被記録媒体Ｐの排出搬送部５を介して排媒体トレイへ排出する排出処理を行う（ステップＳ２１３）。
【００７５】
ＣＰＵ７１は、被記録媒体Ｐの排出を完了すると、全てのヒータ６１ａ〜６１ｅまたはヒータ６２ａ〜６２ｅをオフにして、１ページの画像形成処理を終了する（ステップＳ２１４）。ＣＰＵ７１は、以降、次のページを画像形成するときには、上記同様の処理を繰り返し行う。
【００７６】
このように、本実施例のインクジェットプリンタ１は、被記録媒体Ｐ上の各部分領域Ａ〜Ｙのインク滴量を、画像データ処理部７４で画像データに基づいて算出して、算出した各部分領域Ａ〜Ｙ毎のインク滴量ＩA〜ＩYをＲＡＭ７３に保管し、該インク滴量ＩA〜ＩYを部分基準物質量である閾値Ｉthと比較して、閾値Ｉthを超えるインク滴量ＩA〜ＩYの部分領域Ａ〜Ｙが存在すると、該部分領域Ａ〜Ｙの属する列部分領域Ａ〜Ｅ、列部分領域Ｆ〜Ｊ、列部分領域Ｋ〜Ｏ、列部分領域Ｐ〜Ｔ、列部分領域Ｕ〜Ｙを、加熱対象列部分領域とし、該加熱対象列部分領域のみを、加熱部６のヒータ６１ａ〜６１ｅまたはヒータ６２ａ〜６２ｅを発熱させて加熱乾燥している。
【００７７】
したがって、インク滴検出センサ４１ａ〜４１ｅやインク滴検出センサ４２を設けることなく、画像形成に必要な画像データ処理部７４を用いて画像形成済みの被記録媒体Ｐのうちカールを引き起こすおそれのある列部分領域Ａ〜Ｅ、列部分領域Ｆ〜Ｊ、列部分領域Ｋ〜Ｏ、列部分領域Ｐ〜Ｔ、列部分領域Ｕ〜Ｙを正確に判別して、加熱乾燥の必要な列部分領域Ａ〜Ｅ、列部分領域Ｆ〜Ｊ、列部分領域Ｋ〜Ｏ、列部分領域Ｐ〜Ｔ、列部分領域Ｕ〜Ｙのみを加熱乾燥することができ、消費電力を削減することができるとともに、被記録媒体Ｐのカールの発生を安価かつ適切に防止して、搬送性・載置性を安価かつ適切に向上させることができる。
【実施例３】
【００７８】
図１７から図１９は、本発明の画像形成装置、画像形成制御方法、画像形成制御プログラム及び記録媒体の第３実施例を示す図であり、図１７は、本発明の画像形成装置、画像形成制御方法、画像形成制御プログラム及び記録媒体の第３実施例を適用したインクジェットプリンタにおける被記録媒体への印字率毎の外気湿度と被記録媒体のカール量の関係を示す図、図１８及び図１９は、第３実施例のインクジェットプリンタによる画像形成制御処理を示すフローチャートである。
【００７９】
なお、本実施例は、上記第１実施例のインクジェットプリンタ１と同様のインクジェットプリンタに適用したものであり、本実施例の説明においては、第１実施例で用いた符号をそのまま用いて説明する。
【００８０】
本実施例のインクジェットプリンタ１は、上記第２実施例のインクジェットプリンタ１と同様に、複数の印字モードＭ１〜Ｍ３を備えており、また、各印字モードにおいて、大きさの異なるインク滴が設定されている。インクジェットプリンタ１は、画像データに基づいてインク滴の大きさ（インク滴粒）が、大滴、中滴、小滴のいずれであるかを決定し、また、操作表示部８１での設定操作またはコンピュータＰＣからの印刷要求に基づいて印字モードが、印字モードＭ１、印字モードＭ２、印字モードＭ３のうちいずれであるかを決定する。インクジェットプリンタ１は、印字モードＭ１〜Ｍ３とインク滴粒を決定すると、画像形成する被記録媒体Ｐを、例えば、図８に示したような複数の部分領域Ａ〜Ｙに概念上分割し、各部分領域Ａ〜Ｙのインク滴量を、印字モードと画像データに基づいて、印字モード−インク滴粒対応インク滴量テーブルＴｂを参照して、各部分領域Ａ〜Ｙにおけるインク滴量ＩA〜ＩYを算出し、各部分領域Ａ〜Ｙのインク滴量ＩA〜ＩYをＲＡＭ７３に記憶し、インク滴量ＩA〜ＩYが予め設定されている所定の閾値Ｉthを超えている部分領域Ａ〜Ｙが存在するか否かによって、インクの加熱乾燥が必要であるか否かを判定して、必要な部分領域Ａ〜Ｙのインクのみを加熱乾燥する。
【００８１】
さらに、本実施例のインクジェットプリンタ１は、温湿度センサ８２の検出する湿度に基づいて加熱乾燥が必要であるか否かの判定の基準となる閾値Ｉthを設定して、各部分領域Ａ〜Ｙのインク滴量ＩA〜ＩYが、設定した閾値Ｉthを超えているか否かによって加熱乾燥の要否を判定する。
【００８２】
したがって、本実施例のインクジェットプリンタ１は、第１実施例のインクジェットプリンタ１で設けられていたインク滴検出センサ４１ａ〜４１ｅまたはインク滴検出センサ４２が設けられていない。
【００８３】
すなわち、被記録媒体は、図１７に、被記録媒体Ｐへの印字率毎の外気湿度とそのときの被記録媒体Ｐのカール量を測定した結果を、印字率毎の外気湿度−被記録媒体カール量グラフとして示すように、湿度が高いほど、被記録媒体Ｐのカール量は小さく（被記録媒体Ｐがカールしにくく）なり、湿度が低いほど、被記録媒体Ｐのカール量が大きく（被記録媒体Ｐがカールし易く）なる。被記録媒体Ｐに吐出されたインク滴によって被記録媒体Ｐの画像形成面と裏面との水分量の差が、湿度が高ければ高いほど小さく、カールしにくく、湿度が小さければ小さいほど、被記録媒体Ｐに吐出された箇所の被記録媒体Ｐの画像形成面と裏面との水分量の差が大きくなって、被記録媒体Ｐがカールし易くなるためである。そこで、本実施例のインクジェットプリンタ１は、温湿度センサ８２の検出する湿度に基づいて、被記録媒体のカールのし易さを判定して、被記録媒体Ｐを加熱乾燥するか否かのインク滴量の閾値Ｉthを設定する。
【００８４】
そして、インクジェットプリンタ１は、図１４に示したような印字モード−インク滴粒対応インク滴量テーブルＴｂを予めＲＯＭ７２等の不揮発性メモリに格納しており、操作表示部８１の操作またはコンピュータＰＣからの信号によって印刷要求があると、コンピュータＰＣまたはスキャナＳＣからの画像データを画像データ処理部７４で必要な画像処理を施した後、１ページずつ画像データに基づいて、画像形成部３のキャリッジ３３に搭載されている各色のヘッドノズルから被記録媒体Ｐ上に吐出するインク滴を制御して被記録媒体Ｐに画像形成する。ＣＰＵ７１は、操作表示部８１またはコンピュータＰＣから指示された印字モードと画像データに基づいて、印字モード−インク滴粒対応インク滴量テーブルＴｂを参照して、各部分領域Ａ〜Ｙのインク滴量ＩA〜ＩYを求め、湿度に基づいて設定した閾値（部分基準物質量）Ｉthとインク滴量ＩA〜ＩYを比較することで、部分領域Ａ〜Ｙの加熱乾燥に必要性の有無を判定して、ヒータ６１ａ〜６１ｅまたはヒータ６２ａ〜６２ｅのオン／オフを制御する。
【００８５】
すなわち、インクジェットプリンタ１は、図１８に示すように、まず、媒体送給部２の動作を制御して被記録媒体Ｐを媒体トレイ２１から画像形成部３に搬送させ、画像形成部３で、搬送ベルト３２による被記録媒体Ｐの搬送とキャリッジ３３を主走査方向に移動させて画像データに基づいてヘッドノズルからインク滴を被記録媒体Ｐに吐出させる画像形成動作を行わせて、被記録媒体Ｐの１ページに対して画像形成させる（ステップＳ３０１）。
【００８６】
次に、ＣＰＵ７１は、画像データを画像データ処理部７４に取り込んで、画像データ処理部７４で、画像データを各部分領域Ａ〜Ｙ毎に分割し、各部分領域Ａ〜Ｙにおけるインク滴量ＩA〜ＩYを、第２実施例の場合と同様に、上記印字モード及び画像データに基づいて印字モード−インク滴粒対応インク滴量テーブルＴｂを参照して算出して、算出結果を各部分領域Ａ〜Ｙ毎にＲＡＭ７３に記憶する（ステップＳ３０２）。
【００８７】
ＣＰＵ７１は、温湿度センサ８２の検出する湿度（湿度情報）Ｓを取得し（ステップＳ３０３）、取得した湿度Ｓを予め設定されている閾値設定基準湿度によって分類して、閾値Ｉthを設定する（ステップＳ３０５〜Ｓ３０７）。本実施例では、閾値設定基準湿度として、高閾値設定基準湿度８０％と低閾値設定基準湿度３０％が設定されており、ＣＰＵ７１は、検出した湿度Ｓが高閾値設定基準湿度８０％以上（Ｓ≧８０）であると、被記録媒体Ｐがカールするインク滴量の閾値Ｉthとして、高閾値、例えば、２０００００を設定する（ステップＳ３０５）。また、ＣＰＵ７１は、検出した湿度Ｓが高閾値設定基準湿度８０％と低閾値設定基準３０％との間（８０＞Ｓ＞３０）であると、被記録媒体Ｐがカールするインク滴量の閾値Ｉthとして、中閾値、例えば、１０００００を設定し（ステップＳ３０６）、検出した湿度Ｓが低閾値設定基準湿度３０％以下であると、被記録媒体Ｐがカールするインク滴の閾値Ｉthとして、低閾値、例えば、５００００を設定する（ステップＳ３０７）。
【００８８】
ＣＰＵ７１は、被記録媒体Ｐの全ての部分領域Ａ〜Ｙについてインク滴量ＩA〜ＩYを算出してＲＡＭ７３に保管し、湿度Ｓに基づいて閾値Ｉthを設定すると、図１９に示すように、被記録媒体Ｐの部分領域Ａ〜Ｙに対して、被記録媒体Ｐの副走査方向に並んでいる列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に、該列部分領域Ａ〜Ｅ、列部分領域Ｆ〜Ｊ、列部分領域Ｋ〜Ｏ、列部分領域Ｐ〜Ｔ、列部分領域Ｕ〜Ｙに属する部分領域Ａ〜Ｙに対してインク滴量ＩA〜ＩYのうち、上記設定した閾値Ｉthよりも多いインク滴量ＩA〜ＩYが存在するか否かを判別して、閾値Ｉthよりも多いインク滴量ＩA〜ＩYの部分領域Ａ〜Ｙの存在する列部分領域Ａ〜Ｅ、列部分領域Ｆ〜Ｊ、列部分領域Ｋ〜Ｏ、列部分領域Ｐ〜Ｔ、列部分領域Ｕ〜Ｙが存在すると、その列部分領域Ａ〜Ｅ、列部分領域Ｆ〜Ｊ、列部分領域Ｋ〜Ｏ、列部分領域Ｐ〜Ｔ、列部分領域Ｕ〜Ｙに対応する位置のヒータ６１ａ〜６１ｅまたはヒータ６２ａ〜６２ｅをオンにする（ステップＳ３０８〜Ｓ３１７）。
【００８９】
すなわち、ＣＰＵ７１は、例えば、図８の最上段の列部分領域Ａ〜Ｅについて、該列部分領域Ａ〜Ｅでのインク滴量ＩA〜ＩEをＲＡＭ７３から読み出してこれらのインク滴量ＩA〜ＩEのうちいずれかが設定した閾値Ｉthよりも多いインク滴量ＩA〜ＩEがあるか否かをチェックし（ステップＳ３０８）、閾値Ｉthよりも多いインク滴量ＩA〜ＩEが存在するときには、加熱乾燥を必要とする部分領域Ａ〜Ｅがあると判断して、列部分領域Ａ〜Ｅに対応するヒータ６１ａまたはヒータ６２ａをオンにして（ステップＳ３０９）、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ３１０）。ステップＳ３０８で、閾値Ｉthよりも多いインク滴量ＩA〜ＩEが存在しないときには、ＣＰＵ７１は、列部分領域Ａ〜Ｅに加熱乾燥を必要とするインク滴量の部分領域Ａ〜Ｅが無いと判断して、ヒータ６１ａまたはヒータ６２ａをオフにしたまま、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ３１０）。
【００９０】
ＣＰＵ７１は、ステップＳ３１０で、閾値Ｉthよりも多いインク滴量ＩF〜ＩJが存在するときには、加熱乾燥を必要とする部分領域Ｆ〜Ｊがあると判断して、列部分領域Ｆ〜Ｊに対応するヒータ６１ｂまたはヒータ６２ｂをオンにして（ステップＳ３１１）、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ３１２）。ステップＳ３１０で、閾値Ｉthよりも多いインク滴量ＩF〜ＩJが存在しないときには、ＣＰＵ７１は、列部分領域Ｆ〜Ｊに加熱乾燥を必要とするインク滴量の部分領域Ｆ〜Ｊが無いと判断して、ヒータ６１ｂまたはヒータ６２ｂをオフにしたまま、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ３１２）。
【００９１】
ＣＰＵ７１は、ステップＳ３１２で、閾値Ｉthよりも多いインク滴量ＩK〜ＩOが存在するときには、加熱乾燥を必要とする部分領域Ｋ〜Ｏがあると判断して、列部分領域Ｋ〜Ｏに対応するヒータ６１ｃまたはヒータ６２ｃをオンにして（ステップＳ３１３）、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ３１４）。ステップＳ３１２で、閾値Ｉthよりも多いインク滴量ＩK〜ＩOが存在しないときには、ＣＰＵ７１は、列部分領域Ｋ〜Ｏに加熱乾燥を必要とするインク滴量の部分領域Ｋ〜Ｏが無いと判断して、ヒータ６１ｃまたはヒータ６２ｃをオフにしたまま、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ３１４）。
【００９２】
ＣＰＵ７１は、ステップＳ３１４で、閾値Ｉthよりも多いインク滴量ＩP〜ＩTが存在するときには、加熱乾燥を必要とする部分領域Ｐ〜Ｔがあると判断して、列部分領域Ｐ〜Ｔに対応するヒータ６１ｄまたはヒータ６２ｄをオンにして（ステップＳ３１５）、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ３１６）。ステップＳ３１４で、閾値Ｉthよりも多いインク滴量ＩP〜ＩTが存在しないときには、ＣＰＵ７１は、列部分領域Ｋ〜Ｏに加熱乾燥を必要とするインク滴量の部分領域Ｐ〜Ｔが無いと判断して、ヒータ６１ｄまたはヒータ６２ｄをオフにしたまま、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ３１６）。
【００９３】
ＣＰＵ７１は、ステップＳ３１６で、閾値Ｉthよりも多いインク滴量ＩU〜ＩYが存在するときには、加熱乾燥を必要とする部分領域Ｕ〜Ｙがあると判断して、列部分領域Ｕ〜Ｙに対応するヒータ６１ｅまたはヒータ６２ｅをオンにして（ステップＳ３１７）、被記録媒体Ｐの排出搬送部５を介して排媒体トレイへ排出する排出処理を行う（ステップＳ３１８）。ステップＳ３１６で、閾値Ｉthよりも多いインク滴量ＩU〜ＩYが存在しないときには、ＣＰＵ７１は、列部分領域Ｕ〜Ｙに加熱乾燥を必要とするインク滴量の部分領域Ｕ〜Ｙが無いと判断して、ヒータ６１ｅまたはヒータ６２ｅをオフにしたまま、被記録媒体Ｐの排出搬送部５を介して排媒体トレイへ排出する排出処理を行う（ステップＳ３１８）。
【００９４】
ＣＰＵ７１は、被記録媒体Ｐの排出を完了すると、全てのヒータ６１ａ〜６１ｅまたはヒータ６２ａ〜６２ｅをオフにして、１ページの画像形成処理を終了する（ステップＳ３１９）。ＣＰＵ７１は、以降、次のページを画像形成するときには、上記同様の処理を繰り返し行う。
【００９５】
このように、本実施例のインクジェットプリンタ１は、部分領域Ａ〜Ｙのインク滴量ＩA〜ＩYが加熱乾燥する必要のあるインク滴量であるか否かの部分基準物質量である閾値Ｉthを、温湿度センサ８２の検出した湿度に基づいて変更している。
【００９６】
したがって、部分領域Ａ〜Ｙのインク滴量ＩA〜ＩYがカールを起こすおそれのあるインク滴量であるか否かをより一層適切に判別することができ、消費電力を削減することができるとともに、被記録媒体Ｐのカールの発生をより一層適切に防止して、搬送性・載置性をより一層適切に向上させることができる。
【００９７】
また、本実施例のインクジェットプリンタ１は、被記録媒体Ｐ上の各部分領域Ａ〜Ｙのインク滴量を、画像データ処理部７４で画像データに基づいて算出している。
【００９８】
したがって、インク滴検出センサ４１ａ〜４１ｅやインク滴検出センサ４２を設けることなく、画像形成に必要な画像データ処理部７４を用いて画像形成済みの被記録媒体Ｐのうちカールを引き起こすおそれのある列部分領域Ａ〜Ｅ、列部分領域Ｆ〜Ｊ、列部分領域Ｋ〜Ｏ、列部分領域Ｐ〜Ｔ、列部分領域Ｕ〜Ｙを正確に判別して、加熱乾燥の必要な列部分領域Ａ〜Ｅ、列部分領域Ｆ〜Ｊ、列部分領域Ｋ〜Ｏ、列部分領域Ｐ〜Ｔ、列部分領域Ｕ〜Ｙのみを加熱乾燥することができ、消費電力を削減することができるとともに、被記録媒体Ｐのカールの発生を安価かつ適切に防止して、搬送性・載置性を安価かつ適切に向上させることができる。
【００９９】
なお、部分領域Ａ〜Ｙのインク滴量ＩA〜ＩYの検出は、画像データに基づく演算で算出ものに限らず、第１実施例の場合と同様に、インク滴検出センサ４１ａ〜４１ｅやインク滴検出センサ４２を用いて行ってもよい。
【実施例４】
【０１００】
図２０及び図２１は、本発明の画像形成装置、画像形成制御方法、画像形成制御プログラム及び記録媒体の第４実施例を適用したインクジェットプリンタによる画像形成制御処理を示すフローチャートである。
【０１０１】
なお、本実施例は、上記第１実施例のインクジェットプリンタ１と同様のインクジェットプリンタに適用したものであり、本実施例の説明においては、第１実施例で用いた符号をそのまま用いて説明する。
【０１０２】
本実施例のインクジェットプリンタ１は、上記第３実施例のインクジェットプリンタ１と同様に、印字モードと画像データに基づいて、画像形成する被記録媒体Ｐを、例えば、図８に示したような複数の部分領域Ａ〜Ｙに概念上分割して、各部分領域Ａ〜Ｙのインク滴量ＩA〜ＩYを算出して各部分領域Ａ〜Ｙのインク滴量ＩA〜ＩYをＲＡＭ７３に記憶し、インク滴量ＩA〜ＩYが予め設定されている所定の閾値Ｉthを超えている部分領域Ａ〜Ｙが存在するか否かによって、インクの加熱乾燥が必要であるか否かを判定して、必要な部分領域Ａ〜Ｙのインクのみを加熱乾燥する。
【０１０３】
また、本実施例のインクジェットプリンタ１は、温湿度センサ８２の検出する湿度に基づいて加熱乾燥が必要であるか否かの判定の基準となる閾値（部分基準物質量）Ｉthを設定して、各部分領域Ａ〜Ｙのインク滴量ＩA〜ＩYが、設定した閾値Ｉthを超えているか否かによって加熱乾燥の要否を判定する。
【０１０４】
さらに、本実施例のインクジェットプリンタ１は、被記録媒体Ｐの種別を取得して、該被記録媒体Ｐの種別に基づいて閾値Ｉthを再設定（変更）し、被記録媒体Ｐに基づいて再設定した閾値Ｉthを各部分領域Ａ〜Ｙのインク滴量ＩA〜ＩYが超えているか否かによって加熱乾燥の要否を判定する。
【０１０５】
そして、インクジェットプリンタ１は、図１４に示したような印字モード−インク滴粒対応インク滴量テーブルＴｂを予めＲＯＭ７２等の不揮発性メモリに格納しており、操作表示部８１の操作またはコンピュータＰＣからの信号によって被記録媒体Ｐを指定した印刷要求があると、コンピュータＰＣまたはスキャナＳＣからの画像データを画像データ処理部７４で必要な画像処理を施した後、１ページずつ画像データに基づいて、画像形成部３のキャリッジ３３に搭載されている各色のヘッドノズルから被記録媒体Ｐ上に吐出するインク滴を制御して被記録媒体Ｐに画像形成する。ＣＰＵ７１は、操作表示部８１またはコンピュータＰＣから指示された印字モードと画像データに基づいて、印字モード−インク滴粒対応インク滴量テーブルＴｂを参照して、各部分領域Ａ〜Ｙのインク滴量ＩA〜ＩYを求め、さらに、操作表示部８１またはコンピュータＰＣから指定された被記録媒体Ｐの種別と湿度に基づいて設定した閾値Ｉthとインク滴量ＩA〜ＩYを比較することで、部分領域Ａ〜Ｙの加熱乾燥に必要性の有無を判定して、ヒータ６１ａ〜６１ｅまたはヒータ６２ａ〜６２ｅのオン／オフを制御する。
【０１０６】
すなわち、インクジェットプリンタ１は、図２０に示すように、まず、媒体送給部２の動作を制御して被記録媒体Ｐを媒体トレイ２１から画像形成部３に搬送させ、画像形成部３で、搬送ベルト３２による被記録媒体Ｐの搬送とキャリッジ３３を主走査方向に移動させて画像データに基づいてヘッドノズルからインク滴を被記録媒体Ｐに吐出させる画像形成動作を行わせて、被記録媒体Ｐの１ページに対して画像形成させる（ステップＳ４０１）。
【０１０７】
次に、ＣＰＵ７１は、画像データを画像データ処理部７４に取り込んで、画像データ処理部７４で、画像データを各部分領域Ａ〜Ｙ毎に分割し、各部分領域Ａ〜Ｙにおけるインク滴量ＩA〜ＩYを、第３実施例の場合と同様に、上記印字モード及び画像データに基づいて印字モード−インク滴粒対応インク滴量テーブルＴｂを参照して算出して、算出結果を各部分領域Ａ〜Ｙ毎にＲＡＭ７３に記憶する。さらに、ＣＰＵ７１は、操作表示部８１またはコンピュータＰＣから指定された被記録媒体Ｐの種別情報を取得してＲＡＭ７３に記憶する（ステップＳ４０２）。すなわち、インクジェットプリンタ１は、媒体トレイ２１に収納されている被記録媒体Ｐの種別がＲＡＭ７３等に記憶（媒体トレイ２１が複数存在する場合には、媒体トレイ２１毎に収納されている被記録媒体Ｐの種別がＲＡＭ７３等に記憶）されており、操作表示部８１やコンピュータＰＣから画像形成に使用する媒体トレイ２１が指定されると、該媒体トレイ２１に収納されている被記録媒体Ｐの種別をＲＡＭ７３等から取得する。被記録媒体Ｐの種別としては、例えば、普通紙、薄紙、厚紙、フィルム等であるが、本実施例では、説明を明確にするために、通常使用していて一般的なカール性を有する通常被記録媒体Ｐ、通常被記録媒体Ｐに比較してカールし難い被記録媒体Ｐａ、通常被記録媒体Ｐに比較してカールし易い被記録媒体Ｐｂの３種類に分類され、各被記録媒体Ｐ、Ｐａ、Ｐｂに対して、閾値Ｉthに乗算する閾値係数が予めＲＯＭ７２等に格納されている。本実施例では、通常被記録媒体Ｐには、「１」、被記録媒体Ｐａには、「１．３」、被記録媒体Ｐｂには、「０．７」が閾値係数として設定されている。
【０１０８】
次に、ＣＰＵ７１は、温湿度センサ８２の検出する湿度（湿度情報）Ｓを取得し（ステップＳ４０３）、取得した湿度Ｓを予め設定されている閾値設定基準湿度によって分類して、閾値Ｉthを設定する（ステップＳ４０５〜Ｓ４０７）。本実施例では、上記第３実施例と同様に、閾値設定基準湿度として、高閾値設定基準湿度８０％と低閾値設定基準湿度３０％が設定されており、ＣＰＵ７１は、検出した湿度Ｓが高閾値設定基準湿度８０％以上（Ｓ≧８０）であると、被記録媒体Ｐがカールするインク滴の閾値Ｉthとして、高閾値、例えば、２０００００を設定する（ステップＳ４０５）。また、ＣＰＵ７１は、検出した湿度Ｓが高閾値設定基準湿度８０％と低閾値設定基準３０％との間（８０＞Ｓ＞３０）であると、被記録媒体Ｐがカールするインク滴の閾値Ｉthとして、中閾値、例えば、１０００００を設定し（ステップＳ４０６）、検出した湿度Ｓが低閾値設定基準湿度３０％以下であると、被記録媒体Ｐがカールするインク滴の閾値Ｉthとして、低閾値、例えば、５００００を設定する（ステップＳ４０７）。
【０１０９】
次に、ＣＰＵ７１は、操作表示部８１またはコンピュータＰＣから指定された被記録媒体Ｐが、被記録媒体Ｐａ、被記録媒体Ｐｂ及び通常被記録媒体Ｐのいずれであるかを判別し（ステップＳ４０８）、被記録媒体Ｐａであると、湿度Ｓに基づいて設定した閾値Ｉthに、閾値定数として、「１．３」を乗算、被記録媒体Ｐｂであると、湿度Ｓに基づいて設定した閾値Ｉthに、閾値定数として、「０．７」を乗算した閾値Ｉthを、通常被記録媒体Ｐであると、湿度Ｓに基づいて設定した閾値Ｉthを、以下の加熱要否の判定に用いる閾値Ｉthとして採用する（ステップＳ４０９、Ｓ４１０）。
【０１１０】
ＣＰＵ７１は、被記録媒体Ｐの全ての部分領域Ａ〜Ｙについてインク滴量ＩA〜ＩYを算出してＲＡＭ７３に保管し、湿度Ｓ及び被記録媒体Ｐの種別に基づいて閾値Ｉthを設定すると、図２１に示すように、被記録媒体Ｐの部分領域Ａ〜Ｙに対して、被記録媒体Ｐの副走査方向に並んでいる列部分領域Ａ〜Ｅ、列部分領域Ｆ〜Ｊ、列部分領域Ｋ〜Ｏ、列部分領域Ｐ〜Ｔ、列部分領域Ｕ〜Ｙ毎に、該列部分領域Ａ〜Ｅ、列部分領域Ｆ〜Ｊ、列部分領域Ｋ〜Ｏ、列部分領域Ｐ〜Ｔ、列部分領域Ｕ〜Ｙに属する部分領域Ａ〜Ｙに対してインク滴量ＩA〜ＩYのうち、上記設定した閾値Ｉthよりも多いインク滴量ＩA〜ＩYが存在するか否かを判別して、閾値Ｉthよりも多いインク滴量ＩA〜ＩYの部分領域Ａ〜Ｙの存在する列部分領域Ａ〜Ｅ、列部分領域Ｆ〜Ｊ、列部分領域Ｋ〜Ｏ、列部分領域Ｐ〜Ｔ、列部分領域Ｕ〜Ｙが存在すると、その列部分領域Ａ〜Ｅ、列部分領域Ｆ〜Ｊ、列部分領域Ｋ〜Ｏ、列部分領域Ｐ〜Ｔ、列部分領域Ｕ〜Ｙに対応する位置のヒータ６１ａ〜６１ｅまたはヒータ６２ａ〜６２ｅをオンにする（ステップＳ４１１〜Ｓ４２０）。
【０１１１】
すなわち、ＣＰＵ７１は、例えば、図８の最上段の列部分領域Ａ〜Ｅについて、該列部分領域Ａ〜Ｅでのインク滴量ＩA〜ＩEをＲＡＭ７３から読み出してこれらのインク滴量ＩA〜ＩEのうちいずれかが設定した閾値Ｉthよりも多いインク滴量ＩA〜ＩEがあるか否かをチェックし（ステップＳ４１１）、閾値Ｉthよりも多いインク滴量ＩA〜ＩEが存在するときには、加熱乾燥を必要とする部分領域Ａ〜Ｅがあると判断して、列部分領域Ａ〜Ｅに対応するヒータ６１ａまたはヒータ６２ａをオンにして（ステップＳ４１２）、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ４１３）。ステップＳ４１１で、閾値Ｉthよりも多いインク滴量ＩA〜ＩEが存在しないときには、ＣＰＵ７１は、列部分領域Ａ〜Ｅに加熱乾燥を必要とするインク滴量の部分領域Ａ〜Ｅが無いと判断して、ヒータ６１ａまたはヒータ６２ａをオフにしたまま、次の列部分領域Ｆ〜Ｊのインク滴量ＩF〜ＩJに対して、閾値Ｉthよりも多いインク滴量ＩF〜ＩJがあるか否かのチェックを同様に行う（ステップＳ４１３）。
【０１１２】
ＣＰＵ７１は、ステップＳ４１３で、閾値Ｉthよりも多いインク滴量ＩF〜ＩJが存在するときには、加熱乾燥を必要とする部分領域Ｆ〜Ｊがあると判断して、列部分領域Ｆ〜Ｊに対応するヒータ６１ｂまたはヒータ６２ｂをオンにして（ステップＳ４１４）、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ４１５）。ステップＳ４１３で、閾値Ｉthよりも多いインク滴量ＩF〜ＩJが存在しないときには、ＣＰＵ７１は、列部分領域Ｆ〜Ｊに加熱乾燥を必要とするインク滴量の部分領域Ｆ〜Ｊが無いと判断して、ヒータ６１ｂまたはヒータ６２ｂをオフにしたまま、次の列部分領域Ｋ〜Ｏのインク滴量ＩK〜ＩOに対して、閾値Ｉthよりも多いインク滴量ＩK〜ＩOがあるか否かのチェックを同様に行う（ステップＳ４１５）。
【０１１３】
ＣＰＵ７１は、ステップＳ４１５で、閾値Ｉthよりも多いインク滴量ＩK〜ＩOが存在するときには、加熱乾燥を必要とする部分領域Ｋ〜Ｏがあると判断して、列部分領域Ｋ〜Ｏに対応するヒータ６１ｃまたはヒータ６２ｃをオンにして（ステップＳ４１６）、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ４１７）。ステップＳ４１５で、閾値Ｉthよりも多いインク滴量ＩK〜ＩOが存在しないときには、ＣＰＵ７１は、列部分領域Ｋ〜Ｏに加熱乾燥を必要とするインク滴量の部分領域Ｋ〜Ｏが無いと判断して、ヒータ６１ｃまたはヒータ６２ｃをオフにしたまま、次の列部分領域Ｐ〜Ｔのインク滴量ＩP〜ＩTに対して、閾値Ｉthよりも多いインク滴量ＩP〜ＩTがあるか否かのチェックを同様に行う（ステップＳ４１７）。
【０１１４】
ＣＰＵ７１は、ステップＳ４１７で、閾値Ｉthよりも多いインク滴量ＩP〜ＩTが存在するときには、加熱乾燥を必要とする部分領域Ｐ〜Ｔがあると判断して、列部分領域Ｐ〜Ｔに対応するヒータ６１ｄまたはヒータ６２ｄをオンにして（ステップＳ４１８）、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ４１９）。ステップＳ４１７で、閾値Ｉthよりも多いインク滴量ＩP〜ＩTが存在しないときには、ＣＰＵ７１は、列部分領域Ｋ〜Ｏに加熱乾燥を必要とするインク滴量の部分領域Ｐ〜Ｔが無いと判断して、ヒータ６１ｄまたはヒータ６２ｄをオフにしたまま、次の列部分領域Ｕ〜Ｙのインク滴量ＩU〜ＩYに対して、閾値Ｉthよりも多いインク滴量ＩU〜ＩYがあるか否かのチェックを同様に行う（ステップＳ４１９）。
【０１１５】
ＣＰＵ７１は、ステップＳ４１９で、閾値Ｉthよりも多いインク滴量ＩU〜ＩYが存在するときには、加熱乾燥を必要とする部分領域Ｕ〜Ｙがあると判断して、列部分領域Ｕ〜Ｙに対応するヒータ６１ｅまたはヒータ６２ｅをオンにして（ステップＳ４２０）、被記録媒体Ｐの排出搬送部５を介して排媒体トレイへ排出する排出処理を行う（ステップＳ４２１）。ステップＳ４１９で、閾値Ｉthよりも多いインク滴量ＩU〜ＩYが存在しないときには、ＣＰＵ７１は、列部分領域Ｕ〜Ｙに加熱乾燥を必要とするインク滴量の部分領域Ｕ〜Ｙが無いと判断して、ヒータ６１ｅまたはヒータ６２ｅをオフにしたまま、被記録媒体Ｐの排出搬送部５を介して排媒体トレイへ排出する排出処理を行う（ステップＳ４２１）。
【０１１６】
ＣＰＵ７１は、被記録媒体Ｐの排出を完了すると、全てのヒータ６１ａ〜６１ｅまたはヒータ６２ａ〜６２ｅをオフにして、１ページの画像形成処理を終了する（ステップＳ４２２）。ＣＰＵ７１は、以降、次のページを画像形成するときには、上記同様の処理を繰り返し行う。
【０１１７】
このように、本実施例のインクジェットプリンタ１は、部分領域Ａ〜Ｙのインク滴量ＩA〜ＩYが加熱乾燥する必要のあるインク滴量であるか否かの部分基準物質量である閾値Ｉthを、温湿度センサ８２の検出した湿度及び被記録媒体Ｐの種別に基づいて変更している。
【０１１８】
したがって、部分領域Ａ〜Ｙのインク滴量ＩA〜ＩYがカールを起こすおそれのあるインク滴量であるか否かをより一層適切に判別することができ、消費電力を削減することができるとともに、被記録媒体Ｐのカールの発生をより一層適切に防止して、搬送性・載置性をより一層適切に向上させることができる。
【０１１９】
また、本実施例のインクジェットプリンタ１は、被記録媒体Ｐ上の各部分領域Ａ〜Ｙのインク滴量を、画像データ処理部７４で画像データに基づいて算出している。
【０１２０】
したがって、インク滴検出センサ４１ａ〜４１ｅやインク滴検出センサ４２を設けることなく、画像形成に必要な画像データ処理部７４を用いて画像形成済みの被記録媒体Ｐのうちカールを引き起こすおそれのある列部分領域Ａ〜Ｅ、列部分領域Ｆ〜Ｊ、列部分領域Ｋ〜Ｏ、列部分領域Ｐ〜Ｔ、列部分領域Ｕ〜Ｙを正確に判別して、加熱乾燥の必要な列部分領域Ａ〜Ｅ、列部分領域Ｆ〜Ｊ、列部分領域Ｋ〜Ｏ、列部分領域Ｐ〜Ｔ、列部分領域Ｕ〜Ｙのみを加熱乾燥することができ、消費電力を削減することができるとともに、被記録媒体Ｐのカールの発生を安価かつ適切に防止して、搬送性・載置性を安価かつ適切に向上させることができる。
【０１２１】
なお、部分領域Ａ〜Ｙのインク滴量ＩA〜ＩYの検出は、画像データに基づく演算で算出ものに限らず、第１実施例の場合と同様に、インク滴検出センサ４１ａ〜４１ｅやインク滴検出センサ４２を用いて行ってもよい。
【０１２２】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１２３】
本発明は、インクジェットプリンタ、サーマルプリンタ等のように、用紙等の被記録媒体上に画像形成を行うために載せたインク等の画像形成物質を定着部等で乾燥させない画像形成装置、画像形成制御方法、画像形成制御プログラム及び記録媒体に利用することができる。
【符号の説明】
【０１２４】
１  インクジェットプリンタ
２  媒体送給部
３  画像形成部
４  インク滴検出部
５  排出搬送部
６  加熱部
２１  媒体トレイ
２２  送給ローラ
３１  搬送ローラ
３２  搬送ベルト
３３  キャリッジ
４１ａ〜４１ｅ  インク滴検出センサ
４２  インク滴検出センサ
６１ａ〜６１ｅ、６２ａ〜６２ｅ  ヒータ
７０  メイン制御部
７１  ＣＰＵ
７２  ＲＯＭ
７３  ＲＡＭ
７４  画像データ処理部
７５  ヒータ制御部
８１  操作表示部
８２  温湿度センサ
Ｐ  被記録媒体
ＳＣ  スキャナ
ＰＣ  コンピュータ
ＧＳ  外部装置
Ｔｂ  印字モード−インク滴粒対応インク滴量テーブル
【先行技術文献】
【特許文献】
【０１２５】
【特許文献１】特開２００６−２１３８５５号公報
【特許文献２】特許第３０５７７０１号公報
【特許文献３】特開平１１−１１５１７５号公報
【図１】
2011025614.tif 000003
【図２】
2011025614.tif 000004
【図３】
2011025614.tif 000005
【図４】
2011025614.tif 000006
【図５】
2011025614.tif 000007
【図６】
2011025614.tif 000008
【図７】
2011025614.tif 000009
【図８】
2011025614.tif 000010
【図９】
2011025614.tif 000011
【図１０】
2011025614.tif 000012
【図１１】
2011025614.tif 000013
【図１２】
2011025614.tif 000014
【図１３】
2011025614.tif 000015
【図１４】
2011025614.tif 000016
【図１５】
2011025614.tif 000017
【図１６】
2011025614.tif 000018
【図１７】
2011025614.tif 000019
【図１８】
2011025614.tif 000020
【図１９】
2011025614.tif 000021
【図２０】
2011025614.tif 000022
【図２１】
2011025614.tif 000023